(57)【要約】【課題】工具を必要とすることなく、シンバルの締め付け力の調整や着脱の操作を片手で簡単に行うことができるとともに、緩みをより確実に防止することができ、演奏者が安心して演奏に集中でき、更にシンバル支持杆や締め付け具のねじ部への負担がなく、製品寿命が長く、スムーズな操作性を長期にわたって維持できるシンバル保持構造及びシンバル演奏スタンドを提供せんとする。【解決手段】シンバル支持杆２のボルト部２０に、螺溝を横切る方向に延びる長溝２１Ａ，２１Ｂを設け、締め付け具３Ａ、３Ｂに、ねじ孔に連通する溝部３１と、該溝部３１の内面に沿って径方向に摺動案内され、ねじ孔３０ａの内側に出没する係止爪３２と、該係止爪３２をねじ孔３０ａの内側に突出する方向に弾性付勢する付勢手段と、係止爪３２を付勢手段の弾性付勢力に抗してねじ孔３０ａの内側から退避させる方向に動作させる操作部３４とを設けた。【選択図】図３
2014077864.tif 000002
【特許請求の範囲】
【請求項１】
シンバルの中心孔に挿通されるシンバル支持杆のボルト部にねじ孔を有する締め付け具を螺合し、前記シンバルを締め付けて前記シンバル支持杆に保持させてなるシンバル保持構造であって、
前記シンバル支持杆のボルト部に、螺溝を横切る方向に延びる長溝を設け、
前記締め付け具に、
前記ねじ孔に連通する溝部と、
該溝部の内面に沿って径方向に摺動案内され、前記ねじ孔の内側に出没する係止爪と、
該係止爪を前記ねじ孔の内側に突出する方向に弾性付勢する付勢手段と、
前記係止爪を前記付勢手段の弾性付勢力に抗して前記ねじ孔の内側から退避させる方向に動作させる操作部とを設けてなり、
前記係止爪が前記ボルト部の長溝に係入することで、前記締め付け具が少なくとも緩み方向へ回転不能な緩み止め状態となり、前記操作部を操作して前記係止爪を退避させることで、前記緩み止め状態が解除されることを特徴とするシンバル保持構造。
【請求項２】
前記操作部を、前記係止爪が端部に一体的に形成され且つ該係止爪から連続して前記ねじ孔を迂回して延びる平面視湾曲形状の操作部材より構成してなる請求項１記載のシンバル保持構造。
【請求項３】
前記操作部材を、軸心に対して前記係止爪と反対側の位置又はその近傍まで延設してなる請求項２記載のシンバル保持構造。
【請求項４】
外周壁の軸方向途中部に開口し且つ前記ねじ孔に連通する切欠き溝を形成し、該切欠き溝に対して前記係止爪を有する操作部材を摺動可能に内装してなる請求項２又は３記載のシンバル保持構造。
【請求項５】
前記切欠き溝の内部に軸方向に延びるピンを立設するとともに、前記操作部材に、前記ピンを貫通し且つ前記係止爪の摺動方向と平行に延びる長溝を設け、該長溝内の前記ピンに対し係止爪と反対側の空間に、前記付勢手段としてばねを内装し、該ばねにより前記係止爪が前記ねじ孔の内側に突出する方向に前記操作部材を弾性付勢する請求項４記載のシンバル保持構造。
【請求項６】
前記シンバル支持杆がハイハットスタンドの昇降ロッドに取り付けられる中空ボルトであり、前記ボルト部の軸方向に沿った二領域にそれぞれ各領域にわたる前記長溝を設け、該二領域にそれぞれ前記締め付け具を前記係止爪が長溝に係入した緩み止め状態で位置させ、これら締め付け具の間に前記シンバルを挟持させてなる請求項１〜５の何れか１項に記載のシンバル保持構造。
【請求項７】
請求項１〜６の何れか１項に記載のシンバル保持構造を有するシンバル演奏スタンド。
【請求項８】
前記シンバル支持杆がハイハットスタンドの昇降ロッドに取り付けられる中空ボルトであり、ハイハットスタンドとして構成してなる請求項７記載のシンバル演奏スタンド。
【請求項９】
請求項１〜６の何れか１項に記載のシンバル保持構造に用いる締め付け具であって、前記ねじ孔、前記溝部、前記係止爪、前記付勢手段及び前記操作部を備えた締め付け具。
【発明の詳細な説明】
【技術分野】
【０００１】
本発明は、シンバル支持杆にシンバルを保持させる保持構造に係り、特に締め付け具が演奏中に緩むことなく、シンバルの締め付け力の調整や取り付け／取り外しの操作性にも優れ、ハイハットスタンドに好適に用いることのできるシンバル保持構造、及びそれを有するシンバル演奏スタンドに関する。
【背景技術】
【０００２】
ペダルの踏み込み操作により上下二枚のシンバルを衝合させるハイハットスタンドや、シンバルをスタンドに一枚ずつ独立に配置して演奏するシンバルスタンドなどの各種シンバル演奏スタンドにおいて、シンバル支持杆にシンバルを保持する保持構造としては、従来からシンバル支持杆のボルト部にねじ孔を有する締め付け具を螺合し、フェルトワッシャ等を介してシンバルを締め付ける構造が採用されている（例えば、特許文献１〜３参照。）。
【０００３】
これらシンバルは演奏によりシンバルが打撃衝撃を受けて大きく振動するため締め付け具が緩みやすく、特にハイハットスタンドは上下のシンバルの衝合により大きな振動が発生し、シンバルを保持する上部シンバル保持構造には緩みを防止するためにダブルナット構造が採用されている。またこのようなダブルナット構造でも緩みが防止できないとして、シンバル支持杆のボルト部に螺合するねじ孔に連通する切欠溝を形成し、該切欠溝を挟んで互いに対向する一対のねじ取付部を設け、これらのねじ取付部を締付ねじによって互いに連結してその間隔を狭め、ねじ孔をボルト部に圧接する構造も提案されている（特許文献４参照）。
【０００４】
しかしながら、上記ダブルナットの場合は勿論のこと上記特許文献４の構造においても、締付ねじを大きなトルクで締め付ける工具が必要となり、締め付けるための力も必要で、且つ両手を使った煩雑な操作となる。例えばハイハットスタンドの上部シンバルの保持構造では上下のボルトで挟み込むようにして保持しており、上側のボルトはシンバル締め付け力の調整ねじ、下側のボルトはシンバルの支持とともにシンバルを取り外す際のねじとして機能しているが、これらシンバルの締め付け力の調整や取り付け／取り外しの操作が煩雑なものとなってしまう。
【０００５】
また、いずれもねじの摩擦圧接力で締め付ける構造であり、緩みを確実に防止することはできず、演奏者は必ずしも安心することはできない構造であった。さらに、緩みを防止するためには締め付けに強いトルクが必要であるため、使用回数を重ねるうちにねじ部が変形してしまい、スムーズな取り付け操作が徐々にできなくなってしまう虞もある。
【先行技術文献】
【特許文献】
【０００６】
【特許文献１】実公昭５７−８０５９号公報
【特許文献２】実開昭５９−１２１９０号公報
【特許文献３】実公昭６２−３００６４号公報
【特許文献４】実開平７−２９５９３号公報
【発明の概要】
【発明が解決しようとする課題】
【０００７】
そこで、本発明が前述の状況に鑑み、解決しようとするところは、工具を必要とすることなく、シンバルの締め付け力の調整や着脱の操作を片手で簡単に行うことができるとともに、緩みをより確実に防止することができ、演奏者が安心して演奏に集中でき、更にシンバル支持杆や締め付け具のねじ部への負担がなく、製品寿命が長く、スムーズな操作性を長期にわたって維持できるシンバル保持構造及びシンバル演奏スタンドを提供する点にある。
【課題を解決するための手段】
【０００８】
本発明は、前述の課題解決のために、シンバルの中心孔に挿通されるシンバル支持杆のボルト部にねじ孔を有する締め付け具を螺合し、前記シンバルを締め付けて前記シンバル支持杆に保持させてなるシンバル保持構造であって、前記シンバル支持杆のボルト部に、螺溝を横切る方向に延びる長溝を設け、前記締め付け具に、前記ねじ孔に連通する溝部と、該溝部の内面に沿って径方向に摺動案内され、前記ねじ孔の内側に出没する係止爪と、該係止爪を前記ねじ孔の内側に突出する方向に弾性付勢する付勢手段と、前記係止爪を前記付勢手段の弾性付勢力に抗して前記ねじ孔の内側から退避させる方向に動作させる操作部とを設けてなり、前記係止爪が前記ボルト部の長溝に係入することで、前記締め付け具が少なくとも緩み方向へ回転不能な緩み止め状態となり、前記操作部を操作して前記係止爪を退避させることで、前記緩み止め状態が解除されることを特徴とするシンバル保持構造を構成した。
【０００９】
ここで、前記操作部を、前記係止爪が端部に一体的に形成され且つ該係止爪に連続して前記ねじ孔を迂回して延びる平面視湾曲形状の操作部材より構成した構造が好ましい。
【００１０】
特に、前記操作部材を、軸心に対して前記係止爪と反対側の位置又はその近傍まで延設した構造が好ましい。
【００１１】
更に、外周壁の軸方向途中部に開口し且つ前記ねじ孔に連通する切欠き溝を形成し、該切欠き溝に対して前記係止爪を有する操作部材を摺動可能に内装した構造が好ましい。
【００１２】
より具体的には、前記切欠き溝の内部に軸方向に延びるピンを立設するとともに、前記操作部材に、前記ピンを貫通し且つ前記係止爪の摺動方向と平行に延びる長溝を設け、該長溝内の前記ピンに対し係止爪と反対側の空間に、前記付勢手段としてばねを内装し、該ばねにより前記係止爪が前記ねじ孔の内側に突出する方向に前記操作部材を弾性付勢する構造が好ましい。
【００１３】
また、前記シンバル支持杆がハイハットスタンドの昇降ロッドに取り付けられる中空ボルトであり、前記ボルト部の軸方向に沿った二領域にそれぞれ各領域にわたる前記長溝を設け、該二領域にそれぞれ前記締め付け具を前記係止爪が長溝に係入した緩み止め状態で位置させ、これら締め付け具の間に前記シンバルを挟持させてなる構造が好ましい。
【００１４】
また本発明は、上記したシンバル保持構造を有するシンバル演奏スタンドをも提供する。
【００１５】
特に、前記シンバル支持杆がハイハットスタンドの昇降ロッドに取り付けられる中空ボルトであり、ハイハットスタンドとして構成したものが好ましい。
【００１６】
また本発明は、上記したシンバル保持構造に用いる締め付け具であって、前記ねじ孔、前記溝部、前記係止爪、前記付勢手段及び前記操作部を備えた締め付け具をも提供する。
【発明の効果】
【００１７】
以上にしてなる本願発明のシンバル保持構造によれば、ねじ孔の内側に突出する方向に弾性付勢された係止爪がボルト部の長溝に係入することで緩み止め状態となり、操作部を操作して係止爪を退避させることで緩み止め状態が解除されるので、シンバルの締め付け力の調整や取り付け／取り外しの操作は、操作部を操作しながら締め付け具を回転させるだけであり、工具も不要で片手で簡単に操作することができ、係止爪と長溝との係合により緩み止め状態となるので、緩み止めのための締め付け力も不要で、シンバル支持杆や締め付け具のねじ部への負担がなく、製品寿命が長く、スムーズな操作性を長期にわたって維持でき、しかも当該緩み止め状態は係止爪と長溝の係合により確実且つ安定的なものとなり、演奏者は安心して演奏に集中することができる。
【００１８】
また、操作部は、係止爪が端部に一体的に形成され且つ該係止爪に連続してねじ孔を迂回して延びる平面視湾曲形状の操作部材より構成したので、構造が簡単となり部品点数も少なくでき、耐久性にも優れたものとなる。
【００１９】
また、この操作部材は、軸心に対して係止爪と反対側の位置又はその近傍まで延設した構造であるので、軸心を通る最小限の力で係止爪を効率よく操作できる構造となる。
【００２０】
また、締め付け具本体の外周壁の軸方向途中部に開口し且つねじ孔に連通する切欠き溝を形成し、該切欠き溝に対して係止爪を有する操作部材を摺動可能に内装した構造であるので、簡単な構造でスムーズな係止爪の動作を実現できる構造となる。
【００２１】
また、切欠き溝の内部に軸方向に延びるピンを立設するとともに、操作部材に、前記ピンを貫通し且つ前記係止爪の摺動方向と平行に延びる長溝を設け、該長溝内の前記ピンに対し係止爪と反対側の空間に、前記付勢手段としてばねを内装し、該ばねにより前記係止爪が前記ねじ孔の内側に突出する方向に前記操作部材を弾性付勢する構造であるので、効率よく係止爪をねじ孔内側に突出する方向にばね付勢する構造を実現できる。
【００２２】
また、シンバル支持杆がハイハットスタンドの昇降ロッドに取り付けられる中空ボルトであり、ボルト部の軸方向に沿った二領域にそれぞれ各領域にわたる前記長溝を設け、該二領域にそれぞれ前記締め付け具を前記係止爪が長溝に係入した緩み止め状態で位置させ、これら締め付け具の間に前記シンバルを挟持させてなる構造であるので、これら双方の締め付け具が特に振動の大きいハイタットスタンドの上部シンバルを安定した状態に保持することができ、上側の締め付け具によるシンバルの締め付け力の調整操作と、下側の締付け具によるシンバルの取り付け／取り外し操作とを、それぞれ上述のとおり工具を使用することなく片手で簡単に行うことが可能であり、スムーズな操作性を長期にわたって維持できる優れたハイハットスタンドを提供できる。
【図面の簡単な説明】
【００２３】
【図１】本発明のシンバル保持構造を有するハイハットスタンドの全体構成図。
【図２】ハイハットスタンドの上部シンバルを保持するシンバル保持構造を示す断面図。
【図３】同じくシンバル保持構造を構成するシンバル保持具を示す断面図。
【図４】同じくシンバル保持構造に用いる締め付け具を示す斜視図。
【図５】同じくシンバル保持構造の要部の断面図であり、（ａ）は締め付け具の緩み止め状態、（ｂ）は解除状態を示している。
【図６】同じくシンバル保持構造に用いる中空ボルトと締め付け具の分解斜視図。
【発明を実施するための形態】
【００２４】
次に、本発明の実施形態を添付図面に基づき詳細に説明する。尚、以下の実施形態においては、本発明のシンバル保持構造を、ハイハットスタンドの上部シンバルの保持構造に用いた例を説明するが、本発明はこのようなハイハットスタンドに何ら限定されず、単一のシンバルを保持するシンバルスタンドなど種々のシンバル演奏スタンドやアタッチメント等のシンバル保持構造にも適用できる。
【００２５】
本発明に係るシンバル保持構造Ｓを有する一実施形態としてのハイハットスタンドＨは、図１に示すように、２本の折り畳み自在な脚８４とペダル８３により立設される下パイプ８０と、この下パイプ８０の上部に挿通され、蝶ねじ８２によって高さ調整可能に支持される上パイプ８１と、この上パイプ８１及び下パイプ８０の内部に挿着され、下方に突出して連結したペダル８３の踏み込み操作により昇降される昇降ロッド８５と、下パイプ８０内に収納され、前記昇降ロッド８５を上方に付勢する図示しないコイルばねとを備えている。本例では主に金属材料より構成しているが、特に限定されるものではない。
【００２６】
上パイプ８１の上端部に設けられるシンバル受け具８６には下部シンバル７０が支持され、また、上パイプ８１の上端から突出する昇降ロッド上端部８５ａに設けられるシンバル保持具１により、上部シンバル７１が位置調整可能に保持されている。そして、ペダル８３を踏み込むことにより昇降ロッド８５がコイルばねに抗して引き下げられ、昇降ロッド８５と一体に上部シンバル７１も下降してシンバル受け具８６に支持されている下部シンバル７０を衝打する。
【００２７】
下パイプ８０の軸方向途中部の外周壁には、第１の支持金具８７が蝶ねじ９１の締め付けにより上下に摺動可能に取り付けられ、該支持金具８７に脚８４の上端部が上下に回動自在に連結されている。また、下パイプ８０の下端部の外周壁には、第２の支持金具８８が設けられ、該支持金具８８に対して脚８４の中間部に一端が上下回動自在に連結されたステー９０の他端部が同じく上下回動自在に連結されている。上記第１の支持金具８７の蝶ねじ９１を緩めて該支持金具８７を上方に摺動させると、脚８４の上端部及びステー９０の両端部がそれぞれ回動し、脚８４が下パイプ８０に沿った収納姿勢に姿勢変更する。
【００２８】
下部シンバル７０を支持しているシンバル受け具８６は、図２の断面図に示すように、上パイプ上端部８１ａの外周面に嵌合され、中心に昇降ロッド８５を通す孔を有する受け皿部材９２と、その上面に積層配置され、同じく中心に昇降ロッド８５を通す孔を有するプレート９３及びフェルト９４とより構成されている。受け皿部材９２は、上パイプ上端部８１ａに嵌合される円筒部９２ａとその上部に設けられた鍔状のシンバル支持部９２ｂとより構成され、シンバル支持部９２ｂの外周寄りにはねじ孔９２ｃに下部シンバル７０の角度調整用ボルト９２ｄが螺合されている。
【００２９】
シンバル保持具１は、本発明に係るシンバル保持構造Ｓを主として構成する。図２及び図３に示すように、上部シンバル７１の中心孔７１ａに挿通され、且つ昇降ロッド８５を通す中心孔２ｃを有して該昇降ロッド８５上端部に装着されるシンバル支持杆としての中空ボルト２と、該中空ボルト２に外装され、上部シンバル７１を挟持する上下一対のフェルトワッシャ４、４と、これら一対のフェルトワッシャ４、４の上下にそれぞれ位置して前記中空ボルト２に螺合される締め付け具３Ａ，３Ｂと、中空ボルト２を昇降ロッド８５に対して固定する蝶ねじ５とより構成されている。
【００３０】
中空ボルト２は、外周面に雄ねじが形成されたボルト部２０と、このボルト部２０の上端部に一体的に形成された円筒部２１とより構成されている。円筒部２１の外周面には中心孔２ｃに連通するねじ孔２１ａが設けられ、蝶ねじ５を螺合することにより昇降ロッド８５が円筒部２１の中心孔内面に押圧され、これにより当該中空ボルト２が昇降ロッド８５に固定される。本例では円筒部２１が中空ボルト２に一体的に形成されているが、その他中空ボルト上端に別途作製した円筒部材をビス等で取り付けた構造も好ましい。
【００３１】
締め付け具３Ａ、３Ｂは、図４〜図６に示すように、中心に中空ボルト２のボルト部２０に螺合するねじ孔３０ａを有し、且つ外周壁３０ｂに開口して前記ねじ孔３０ａに連通する溝部３１を有する本体部３０と、前記溝部３１の内面３１ａに沿って径方向に摺動案内され、ねじ孔３０ａの内側に出没する係止爪３２と、該係止爪３２をねじ孔３０ａの内側に突出する方向に弾性付勢する付勢手段としてのばね３３と、係止爪３２を付勢手段（ばね３３）の弾性付勢力に抗してねじ孔３０ａの内側から退避させる方向に動作させる操作部３４とより構成されている。
【００３２】
本例では、係止爪３２と操作部３４は操作部材６０により一体的に形成されている。具体的には、係止爪３２が端部に一体的に形成され且つ該係止爪３２から連続してねじ孔３０ａを略Ｃの字状に迂回して延びる平面視湾曲形状の操作部材６０により操作部３４が構成され、本体部３０には、前記溝部３１として外周壁３０ｂの軸方向途中部に開口し且つねじ孔３０ａに連通する切欠き溝６１が軸心を中心に略１８０度の範囲で形成され、該切欠き溝６１に対して前記操作部材６０が摺動可能に内装されている。この切欠き溝６１の前記係止爪３２に対応する部位に上記溝部内面３１ａが形成されている。
【００３３】
尚、操作部材６０が本体部３０の軸心に対して係止爪３２と反対側の位置又はその近傍まで延設されているため、これに対応して上記切欠き溝６１も略１８０度の範囲で形成されているが、操作部材６０の上記ねじ孔３０ａの迂回の程度をより短い略Ｊ字状として、切欠き溝６１もこれに対応してより狭い角度範囲の溝としてもよい。
【００３４】
切欠き溝６１の内部には軸方向に延びるピン６２が立設され、操作部材６０には、該ピン６２を貫通し、且つ係止爪３２が摺動する方向と平行に延びる長溝６３が設けられ、該長溝６３内のピン６２に対し係止爪３２と反対側の空間に、付勢手段としてばね３３が内装されている。本例ではコイルばねであるがその他のばねでもよい。またゴム等の弾性部材も可能である。操作部材６０は、このばね３３により係止爪３２がねじ孔３０ａ内側に突出する方向に弾性付勢されている。
【００３５】
より具体的には、長溝６３は、軸方向に貫通してピン６２を受け入れる長孔６３ａと、該長孔６３ａに交差して係止爪３２が摺動する方向と平行に延びる横孔６３ｂとより構成されており、この横孔６３ｂによって前記長孔６３ａに連通してばね３３を収納する有底の凹部６３ｃが設けられている。製造時の組み立ては、図６に示すように前記横孔６３ｂの前記凹部６３ｃと反対側の開口からばね３３を挿入した後、前記長孔６３ａにピン６２を貫通させることで容易に行うことができる。
【００３６】
中空ボルト２のボルト部２０には、図３及び図６に示すように軸方向に沿った二領域Ｒ１、Ｒ２に、それぞれ各領域にわたり螺溝２０ａを横切る方向に延びる長溝２１Ａ、２１Ｂが設けられており、ボルト部２０に螺合する締め付け具３Ａ、３Ｂを二領域Ｒ１、Ｒ２にそれぞれ位置させることで、係止爪３２、３２が長溝２１Ａ、２１Ｂに係入した回転不能な緩み止め状態となすことができる。このように緩み止め状態にされた締め付け具３Ａ、３Ｂの間に、フェルトワッシャ４、４を介して上部シンバル７１が安定した状態に挟持される。
【００３７】
締め付け具３Ａ、３Ｂは、各領域Ｒ１、Ｒ２においても、操作部３４を指で押して係止爪３２を退避させておくことで、任意の位置まで回転移動させることができ、その位置から操作部３４を離した状態で１回転させる間に、前記係止爪３２が長溝２１Ａ（２１Ｂ）に係入し、締め付け具３Ａ（３Ｂ）を回転不能な緩み止め状態とすることができる。尚、本例では係止爪３２が長溝２１Ａ（２１Ｂ）に係入すると操作部３４を操作しなければ緩み方向にも締め付け方向にも回転不能となるが、例えば、係止爪３２の締め付け方向の側面のみテーパー面とし、長溝２１Ａ（２１Ｂ）に係入した状態から操作部３４を操作せずに緩み方向には回転不能であるが、締め付け方向には当該テーパー面が長溝の縁部に押されて係止爪３２が自動的にねじ孔３０ａから退避して回転可能となる構成することも好ましい実施例である。この場合には締め付け具を緩める方向に回転させたい場合のみ操作部を操作すればよいこととなり、操作性が向上する。
【００３８】
また、本例では長溝２１Ａ，２１Ｂがそれぞれ軸方向に延びる縦溝であるが、斜めでもよいし曲線でもよい。また各長溝２１Ａ，２１Ｂはボルト部２０の周囲に一箇所のみ設けられ、締め付け具３Ａ（３Ｂ）を１回転させるごとに係止爪３２が一回係入することとなるが、複数本設けて１回転あたり係止爪３２が複数回係入可能とし、上部シンバル７１のより細かい位置調整や締め付け力の調整を行うことを可能とすることも好ましい。この場合、領域Ｒ１（Ｒ１）にわたって複数本設けてもよいし、二本目以降のものについては特に領域内における微調整が望まれる範囲にのみ比較的短い長溝を補足的に設けるようにしてもよい。
【００３９】
また本例のシンバル保持構造Ｓにおいては、上部シンバル７１を上下から締め付ける締め付け具３Ａ、３Ｂの双方について、前記ねじ孔３０ａ、溝部３１、係止爪３２、付勢手段としてのばね３３及び操作部３４を備えた締め付け具としたが、何れか一方のみとし、他方については従来と同様、ダブルナット等の締め付け具を用いることもできる。例えば下側の締め付け具３Ｂについてのみ本例の締め付け具としても、演奏後の上部シンバルの取り外しを手だけで容易に行うことができるとともに上部シンバルの取り付けについても片手で容易且つ確実に緩まない状態に取り付けることができることから好ましい。
【００４０】
また、上側の締め付け具３Ａについてのみ本例の締め付け具としても、演奏者がシンバルの締め付け力を調整する上側の締め付け具３Ａについては工具を用いることなく手だけで容易に締め付け具３Ａを回転させて当該締め付け力を調整するとともに緩み止め状態にすることができることから好ましい。同様に、本例ではハイハットスタンドの上部シンバルの保持構造について説明したが、上述のようにその他のシンバルスタンドやシンバルアタッチメントにも適用でき、これらのうちねじ孔を有するシンバルの締め付け具として一つのみ用いるものについては本例の締め付け具３Ａを用いることで、同じく工具を用いることなく手だけで容易に締め付け具３Ａを回転させてシンバルの締め付け力を調整するとともに緩み止め状態にすることができる。
【００４１】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４２】
Ｈ  ハイハットスタンド
Ｓ  シンバル保持構造
Ｒ１、Ｒ２  領域
１  シンバル保持具
２  中空ボルト
２ｃ  中心孔
３Ａ，３Ｂ  締め付け具
４  フェルトワッシャ
５  蝶ねじ
２０  ボルト部
２０ａ  螺溝
２１  円筒部
２１ａ  ねじ孔
２１Ａ，２１Ｂ  長溝
３０  本体部
３０ａ  ねじ孔
３０ｂ  外周壁
３１  溝部
３１ａ  内面
３２  係止爪
３３  ばね
３４  操作部
６０  操作部材
６１  切欠き溝
６２  ピン
６３  長溝
６３ａ  長孔
６３ｂ  横孔
６３ｃ  凹部
７０  下部シンバル
７１  上部シンバル
７１ａ  中心孔
８０  下パイプ
８１  上パイプ
８１ａ  上端部
８２  蝶ねじ
８３  ペダル
８４  脚
８５  昇降ロッド
８５ａ  上端部
８６  シンバル受け具
８７  支持金具
８８  支持金具
９０  ステー
９１  蝶ねじ
９２  皿部材
９２ａ  円筒部
９２ｂ  シンバル支持部
９２ｃ  ねじ孔
９２ｄ  角度調整用ボルト
９３  プレート
９４  フェルト
【図１】
2014077864.tif 000003
【図２】
2014077864.tif 000004
【図３】
2014077864.tif 000005
【図４】
2014077864.tif 000006
【図５】
2014077864.tif 000007
【図６】
2014077864.tif 000008